(57)【要約】【課題】  無機質板を躯体に固定し、その脱落を防止できるその固定方法およびそのための治具の提供。【解決手段】  穴用スナップリングを無機質板の非貫通孔に挿入して、これに線材を接続して躯体に無機質板を固定する。無機質板は接着剤により躯体に固定されるが、さらにこのスナップリングを用いた固定手段を施すことにより、例えば、経時的な劣化などで接着剤などによる固定が十分でなくなった場合でも、スナップリングを用いた固定手段が存在するため、脱落や、脱落に伴う被害を防ぐことができる。つまり、無機質板の躯体への二重化された固定方法が提供される。【選択図】  図１
2017082578.tif 000002
【特許請求の範囲】
【請求項１】
無機質板を躯体に固定する方法であって、
（ａ）  一方の面に非貫通孔を有する無機質板を用意する工程と、
（ｂ）  穴用スナップリングであって、バネ本体と、前記躯体に接続する接続部とを備え、前記非貫通孔よりもやや大きな外径を有し、前記非貫通孔に挿入されたとき、前記バネ本体がその弾力により前記孔の内壁面に向かって外径を拡大し、もって前記孔の内壁面と円周方向で接触して係止する穴用スナップリングを用意する工程と、
（ｃ）  前記穴用スナップリングの前記バネ本体に力を加えて形を歪めて外径を小さくして、前記非貫通孔に前記穴用スナップリングを挿入する工程と、
（ｄ）  前記接続部を躯体に固定する工程と、
（ｅ）  前記非貫通孔を有する面と躯体とを接着剤で貼着し、前記無機質板を躯体に固定する工程と
を含んでなる、方法。
【請求項２】
前記穴用スナップリングが、前記接続部から延伸した、複数のバネ本体を有するものである、請求項１に記載の方法。
【請求項３】
前記穴用スナップリングが、前記接続部から延伸した２片のバネ本体を有するものである、請求項２に記載の方法。
【請求項４】
前記穴用スナップリングが、前記接続部の一つ端部から延伸した２片のバネ本体を有するものである、請求項３に記載の方法。
【請求項５】
前記穴用スナップリングが、前記接続部の二つ端部からそれぞれ延伸した２片のバネ本体を有するものである、請求項３に記載の方法。
【請求項６】
前記穴用スナップリングが、前記非貫通孔に挿入されたとき、前記接続部を当該孔の中心近傍に有するものである、請求項１〜５のいずれか一項に記載の方法。
【請求項７】
前記穴用スナップリングの前記接続部が、前記バネ本体の面から立ち上っている、請求項１〜６のいずれか一項に記載の方法。
【請求項８】
前記非貫通孔が、アリ穴（逆ハ）の形状である、請求項１〜７のいずれか一項に記載の方法。
【請求項９】
前記穴用スナップリングの前記躯体への固定が、前記接続部に接続材を接続し、当該接続材の、前記接続部に接続されている端とは反対側の端を躯体に固定することにより行われる、請求項１〜８のいずれか一項に記載の方法。
【請求項１０】
前記接続材が線材である、請求項１〜９のいずれか一項に記載の方法。
【請求項１１】
前記接続部が、前記穴用スナップリングの一部と、そこから一体的に延伸された延伸部とからなり、前記躯体への固定が、当該延伸部の端を躯体に固定することにより行われる、請求項１〜８のいずれか一項に記載の方法。
【請求項１２】
前記無機質板が、陶磁器、石、またはガラスからなるものである、請求項１〜１１のいずれか一項に記載の方法。
【請求項１３】
前記無機質板が一辺９００ｍｍ以上、厚さ１０ｍｍまでのものである、請求項１〜１２のいずれか一項に記載の方法。
【請求項１４】
前記非貫通孔の深さが、前記無機質板の厚さの半分以下である、請求項１〜１３のいずれか一項に記載の方法。
【請求項１５】
前記非貫通孔の深さが６ｍｍ以下である、請求項１４に記載の方法。
【請求項１６】
請求項１〜１５のいずれかに一項に記載の無機質板を躯体に固定する方法に用いられる穴用スナップリングであって、
バネ本体と、前記躯体に接続する接続部とを備え、前記非貫通孔よりもやや大きな外径を有し、前記非貫通孔に挿入されたとき、前記バネ本体がその弾力により前記孔の内壁面に向かって外径を拡大し、もって前記孔の内壁面に接触して係止することを特徴とする、穴用スナップリング。
【請求項１７】
躯体に固定された無機質板構造物であって、
一方の面に非貫通孔を有し、
当該非貫通孔には、穴用スナップリングが挿入されてなり、ここで当該穴用スナップリングは、バネ本体と、前記躯体に接続する接続部とを備え、前記非貫通孔内において、前記バネ本体がその弾力により前記孔の内壁面に向かって外径を拡大し、もって前記孔の内壁面と円周方向で接触して係止されてなり、
前記接続部により躯体に固定され、さらに
前記非貫通孔を有する面と躯体とが接着剤で固定されてなることを特徴とする、構造物。
【発明の詳細な説明】
【技術分野】
【０００１】
本発明は、無機質板、とりわけ薄型で大型の陶磁器板を壁などの躯体に固定する方法およびそのための治具に関し、さらに詳しくは無機質板を接着剤などで貼着する固定手段に加えて実施され、その脱落などを防止する方法およびそのための治具に関する。
【背景技術】
【０００２】
内装または外装材としてタイルなどの無機質板が広く用いられている。これら無機質板の躯体への施工は、接着剤やモルタルなどで張り付けることに行われる。さらに、最近では目地を少なくでき、施工の簡略化や意匠の多様化を実現可能な大型陶磁器板が実用化され広く利用されてきており、このような大型陶磁器板についてもその施工は接着剤などによる張付けが一般的である。
【０００３】
このような無機質板、とくに大型陶磁器板を壁面などに施工する場合、経年により剥離や割れが発生しても、脱落並びに脱落に伴う被害を抑止することが必要になる。大型陶磁器板は薄型とされ軽量化されているものが多いが、特に大型陶磁器板を外装材としてする場合には、脱落並びに脱落に伴う被害を抑止可能な施工システムが重要になる。
【０００４】
このような施工システムとして、接着剤などによる貼着に加えて、無機質板に穴をあけてタッピングビスなどで固定することが行われている。しかしながら、内装・外装材として化粧面を有するものである場合、穴およびビスの頭は化粧面の意匠を損なう恐れがある。
【０００５】
化粧面の意匠性を損ねない施工方法として、例えば、無機質板の片面に非貫通孔を設け、この孔に円筒形状のコイル状部の全体を挿入してコイル状部の拡開方向の弾発力に基づく摩擦力により該穴に固定する方法が提案されている（特開平８−６８１８３号公報、特許文献１）。この方法では、コイルを孔に挿入するため、ある程度の深さの孔を必要とする。また、非貫通孔に特定構造の係止片を用いて建築板を固定する提案もされているが（特開平１１−１５９１０２号公報、特許文献２）、この係止片は非貫通孔内壁と点で接触する構造であるため、その係止力には限度があると考えられる。従って、化粧面の意匠性を損ねない施工方法、とりわけ薄型で大型の無機質板の固定方法が依然として求められていると言える。
【先行技術文献】
【特許文献】
【０００６】
【特許文献１】特開平８−６８１８３号公報
【特許文献２】特開平１１−１５９１０２号公報
【発明の概要】
【発明が解決しようとする課題】
【０００７】
本発明は、無機質板を躯体に固定し、その脱落を防止できるその固定方法およびそのための治具の提供を目的とする。
【課題を解決するための手段】
【０００８】
そして、本発明による無機質板を躯体に固定する方法は、
（ａ）  一方の面に非貫通孔を有する無機質板を用意する工程と、
（ｂ）  穴用スナップリングであって、バネ本体と、前記躯体に接続する接続部とを備え、前記非貫通孔よりもやや大きな外径を有し、前記非貫通孔に挿入されたとき、前記バネ本体がその弾力により前記孔の内壁面に向かって外径を拡大し、もって前記孔の内壁面と円周方向で接触して係止する穴用スナップリングを用意する工程と、
（ｃ）  前記穴用スナップリングの前記バネ本体に力を加えて形を歪めて外径を小さくして、前記非貫通孔に前記穴用スナップリングを挿入する工程と、
（ｄ）  前記接続部を躯体に固定する工程と、
（ｅ）  前記非貫通孔を有する面と躯体とを接着剤で貼着し、前記無機質板を躯体に固定する工程とを含んでなる方法である。
【０００９】
また、本発明による機質板を躯体に固定する方法に用いられる治具は、穴用スナップリングであって、バネ本体と、前記躯体に接続する接続部とを備え、前記非貫通孔よりもやや大きな外径を有し、前記非貫通孔に挿入されたとき、前記バネ本体がその弾力により前記孔の内壁面に向かって外径を拡大し、もって前記孔の内壁面に接触して係止することを特徴とする。
【図面の簡単な説明】
【００１０】
【図１】本発明による無機質板の躯体への固定方法を説明する図である。
【図２】図２（ａ）は、図１の無機質板１に設けられた非貫通孔２の拡大図である。図２（ｂ）は、非貫通孔２の拡大断面図であり、図２（ｃ）は断面がアリ穴・逆ハの字の形状の非貫通孔の断面図である。
【図３】本発明による方法において用いられる穴用スナップリングの一つの例を示す図であり、一部が切れた円形のバネ本体３１が、接続部３２の一端から延伸した構造を有する。（ａ）は上面図、（ｂ）は側面図である。
【図４】本発明による方法において用いられる穴用スナップリングの一つの例を示す図であり、接続部３２の二つ端部から２片のバネ本体３１が延伸した構造を有する。（ａ）は上面図、（ｂ）は側面図である。
【図５】本発明による方法において用いられる穴用スナップリング一つの例を示す図であり、図３に示されるスナップリングにおいて、スナップリングの接続部が、スナップリングの一部と、そこから一体的に延伸された延伸部とからなるものとした態様の図である。（ａ）は上面図、（ｂ）は側面図である。
【図６】本発明による方法において用いられる穴用スナップリングの一つの例を示す図であり、図３に示されるスナップリングにおいて、スナップリングの接続部が、スナップリングの一部と、そこから一体的に延伸された延伸部とからなるものとした態様の図である。（ａ）は上面図、（ｂ）は側面図である。
【図７】非貫通孔に係止された状態のスナップリングの断面図である。
【図８】図３のスナップリングを非貫通孔に挿入し、接続部３２の穴３５に線材４１を通し、線材に部材４２を固定して線材４１を接続部３２に接続した態様の説明図である。
【図９】図８に示される、線材４１が接続されたスナップリングが係止された無機質板１を、躯体５１に固定した状態の説明図である。
【図１０】躯体５１の表面５２に、複数の無機質板１を張り付けた状態の説明図である。
【発明を実施するための形態】
【００１１】
以下、本発明の実施の形態について、図面を参照しながら説明する。
図１は、本発明による無機質板の躯体への固定方法を説明する図である。図１において、無機質板１に、非貫通孔２が設けられてなり、この非貫通孔に穴用スナップリング３（以下、単に「スナップリング」ということがあるが、特に断らない限り、「穴用」のスナップリングを意味する）を挿入して固定する。固定されたスナップリング３には、固定部材としての線材４が結合され、スナップリング３に固定された端と反対側の線材４の端において壁などの躯体に固定される。この図の態様にあっては、線材４がリングとされ、そのリングにビスやアンカーボルトなどの固定具５を躯体（図示せず）に打ち込み、無機質板１は固定される。この固定とは別に、無機質板１の非貫通孔２が設けられた面は、接着剤により躯体に固定される。本発明による固定方法は、単独で無機質板を躯体に固定する方法として適用されてもよいが、このような二つの手段により固定され無機質板１は、経時的な劣化などで接着剤などによる固定が十分でなくなった場合でも、もう一つのスナップリングを用いた固定手段が存在するため、脱落や、脱落に伴う被害を防ぐことができる。すなわち、本発明によれば、無機質板の躯体への二重化された固定方法が提供される。
【００１２】
本発明による固定方法を、工程ごとに以下説明する。
（ａ）無機質板を用意する工程
本発明による方法によって固定される無機質板は、例えば陶磁器、石、またはガラスからなるものである。本発明の一つの態様によれば、本発明において無機質板は、平板として、外装または内装の壁、床、天井の仕上げ材や、キャビネット面材やカウンターの仕上げ材に好ましく用いられる。その大きさは限定されないが、本発明による固定方法は、上記のとおり、無機質板の躯体への二重化された固定方法とすることができることから、比較的大型の無機質板に対して好ましく適用される。本発明の一つの態様によれば、無機質板は短辺３００ｍｍを超えるものであり、９００ｃｍ２を超える面積を有するものである。無機質板の短辺の長さは、好ましくは６００ｍｍ以上、より好ましくは９００ｍｍ以上を有するものである。
【００１３】
さらに本発明の好ましい態様によれば、本発明による固定方法は、比較的薄い無機質板に適用できる。上述のとおり、化粧面の意匠性を損なわないよう化粧面と反対側の面に非貫通孔を設けることになるが、薄い無機質板においては非貫通孔は浅くならざるを得ない。大型の陶磁器板では軽量化のため、例えば厚さは３ｍｍ以上１５ｍｍ程度まで、好ましくは８ｍｍ乃至１０ｍｍ程度までとされる。そして、無機質板の強度等への影響からすると、非貫通孔の深さは薄さのほぼ半分乃至それ以下とされることが望ましい。本発明による固定方法にあっては、このような薄い無機質板における比較的浅い非貫通孔であっても適用が可能である。具体的には、例えば、非貫通孔の深さが６ｍｍ以下であるような場合にも適用できる。また、非貫通孔の直径は６ｍｍ以上８０ｍｍ以下が好ましく、８ｍｍ以上６０ｍｍ以下がより好ましく、１０ｍｍ以上〜５０ｍｍ以下が、さらに好ましい。
【００１４】
図２（ａ）は、図１の無機質板１に設けられた非貫通孔２の拡大図である。さらに、図２（ｂ）は、非貫通孔２の拡大断面図である。図に示される態様において、非貫通孔２は略円形であり、無機質板の表面に対してほぼ垂直な内壁面２１を有する。本発明の一つの態様によれば、非貫通孔２の内壁面２１はほぼ垂直に限らず、例えば、その断面が図２（ｃ）に示されるようなアリ穴・逆ハの字の形状であってもよく、この場合、内壁面２１は無機質板の表面に対して垂直ではない。本発明にあっては、スナップリングが円周方向に内壁面と接触して係止する。図２（ａ）および（ｂ）のようなほぼ垂直な内壁面とは円周方向に面でスナップリングは接触し、主に摩擦力により係合する。また図２（ｃ）のような形状の孔の場合は、無機質板の表面付近の径の最も小さな部分の付近で円周方向に接触して、主に引っ掛かる力により係止される。いずれの態様も本発明に包含される。
【００１５】
図２（ａ）および（ｂ）に示される非貫通孔２の底面２２は平面であってよいが、送入されたスナップリングの係合を大きく阻害しない限り、特に限定されない。
【００１６】
本発明による無機質板は、その表面に釉薬層を有していてもよい。釉薬の成分は特に限定されない。釉薬層の形成は、成形後に施釉し、成形体と一体的に焼成するか、または、焼成体（仮焼体）に施釉した後に焼成するか、いずれかの方法を用いてもよい。さらに、施釉の前後に乾燥工程を設けてもよい。
【００１７】
（ｂ）スナップリングを用意する工程
図３は、本発明による方法において用いられる穴用スナップリングの一つの例を示す図である。図３（ａ）において、スナップリング３は、一部が切れた円形の外周形状を有するバネ本体３１が、接続部３２の一端から延伸した構造を有する。円形のバネ本体３１は、無機質板１に設けられた非貫通孔の直径よりもやや大きな外径を有し、また所定の厚みを有し、その側面３３を有する。バネ本体３１の切れた端部のそれぞれには、穴（ラグ）３４が設けられ、ここにスナップリングプライヤーを差し込み、外径が小さくなるように力を加えてリングを歪め、無機質板の非貫通孔に挿入する。プライヤーを外し、バネ本体３１を解放すると、元の形に戻ろうとする力（弾力）が働き、バネ本体３１が、非貫通孔の内壁面に向かって外径を拡大し、側面３３を内壁面１２に円周方向に押しつけ、この摩擦力によりスナップリングは非貫通孔に係止されることとなる。本発明の好ましい態様によれば、スナップリングは側面３３が内壁面１２の円周方向に沿って面で接触するものとする。面で接触することで、より強い摩擦力で非貫通孔に係止される。また、非貫通孔が図２（ｃ）のような形状の孔の場合は、上記のように無機質板の表面付近の径の最も小さな部分の付近で、バネ本体３１の側面３３の一部が円周方向に接触して係止される。穴３４を設けず、バネ本体３１に設けられた、例えば起立片に直接外力を加え、外径が小さくなるようにリングを歪めることも可能である。
【００１８】
接続部３２には、接続材を接続するための穴３５が設けられ、例えば接続材である線材を貫通し、適切な固定手段により線材を接続部３２に固定する。本発明の一つの好ましい態様によれば、図３（ｂ）に示されるように、接続部３２は、好ましくはバネ本体部分から立ち上っており、そのための立ち上がり部３６を有する。本発明の好ましい態様によれば、接続部３２は、スナップリングが非貫通孔に挿入されたとき、非貫通孔の中心近傍に有するものとされることが好ましく、より好ましくは穴３５が非貫通孔の中心近傍にあるものとすることが好ましい。すなわち、接続部３２は、バネ本体３１の側面３３よりもスナップリングの中心側に備えられていることが好ましく、さらにバネ本体３１の外側の側面３３ではなく、バネ本体３１のスナップリングの中心に向かう内側の側面からスナップリングの中心に向けて延在することがより好ましい。このような構成とすることで、躯体に固定された接続材からスナップリングに、無機質板１の非貫通孔２を有する面とほぼ平行な向きの上下左右からの引っ張り力にも耐えることができ、さらに当該面に対し垂直方向の引っ張り力が加わっても、スナップリングは非貫通孔から脱落しにくくなる。脱落しにくくなる効果は、緩衝的効果が期待できる立ち上がり部３６を備えることにより、いっそう高めることができる。
【００１９】
図４は、本発明による別の態様のスナップリングを示す図であり、図３に示されるスナップリングと同一または対応する部分には同一の符号が付されている。すなわち、接続部３２の両端から２片のバネ本体３１が延伸した構造を有する。二つのバネ本体３１が作る円形は、無機質板１に設けられた非貫通孔の直径よりもやや大きな外径を有する。またバネ本体３１は所定の厚みを有し、その側面３３を有する。２片のバネ本体３１の端部のそれぞれには、穴（ラグ）３４が設けられ、ここにスナップリングプライヤーを差し込み、外径が小さくなるように力を加えてリングを歪め、無機質板の非貫通孔に挿入する。プライヤーを外し、バネ本体３１を解放すると、元の形に戻ろうとする力（弾力）が働き、バネ本体３１が、非貫通孔の内壁面に向かって外径を拡大し、側面３３を内壁面１２に円周方向に押しつけ、この摩擦力によりスナップリングは非貫通孔に係止されることとなる。また、非貫通孔が図２（ｃ）のような形状の孔の場合は、上記のように無機質板の表面付近の径の最も小さな部分の付近で、バネ本体３１の側面３３の一部が円周方向に接触して係止される。
【００２０】
接続部３２には、接続材を接続するための穴３５が設けられ、例えば接続材である線材を貫通し、適切な固定手段により線材を接続部３２に固定する。本発明の一つの好ましい態様によれば、図４（ｂ）に示されるように、接続部３２は、好ましくはバネ本体部分から立ち上っており、そのための立ち上がり部３６を有する。この態様にあっても、接続部３２は、スナップリングが非貫通孔に挿入されたとき、非貫通孔の中心近傍に有するものとされることが好ましく、より好ましくは穴３５が非貫通孔の中心近傍にあるものとすることが好ましい。
【００２１】
図４に示されるスナップリングは、接続部３２から２片のバネ本体３１が延伸した構造を有する。すなわち、図３に記載のスナップリングは接続部３２の一つ端部から延伸した２片のバネ本体を有し、他方、図４に記載の態様にあっては、接続部の二つ端部からそれぞれ延伸した２片のバネ本体を有する。さらに本発明によれば、接続部から２片を超えるバネ本体３１が延伸する構造を採用することも可能である。本発明によるスナップリングの直径は、６ｍｍ以上９０ｍｍ以下が好ましく、８ｍｍ以上７０ｍｍ以下がより好ましく、さらに好ましくは１０ｍｍ以上５５ｍｍ以下である。
【００２２】
本発明の別の態様によれば、躯体に接続する接続部を、スナップリングの接続部から一体的に延伸された部材として構成してもよい。すなわち、図３および４に示されるスナップリングにおいて接続部と接続材とを一体化し、接続部から一体として延伸した延伸部としてもよい。図５および図６はそのようなスナップリングの例を示す図であり、（ａ）は上面図、（ｂ）は側面図であって、図中、スナップリングから立ち上がり部３５を経て、スナップリングと一体化された延伸部３７を有し、延伸部３７の端には端部３８があり、その中央には躯体への固定のための固定穴３９が設けられてなる。この態様にあっては、図３および４に示される態様における、接続材をスナップリングの接続部に接続する後記する工程を省略することができる。
【００２３】
（ｃ）スナップリングを挿入する工程
スナップリングの非貫通孔への挿入は、スナップリングのバネ本体に力を加えて形を歪めてその外径を小さくして行う。上記したように、図３および４の態様のスナップリングにあっては、その形を歪める力を加える起点としての穴３４が設けられてなる。スナップリングの嵌め込みのための治具はスナップリングプライヤーなどとして市販されており、そのような治具を用いてバネ本体に力を加えて外径を小さくすることができる。
【００２４】
スナップリングの外径を非貫通孔よりもやや小さくしたところで、スナップリングを非貫通孔に挿入する。挿入後、力を加えることを止め、バネ本体を解放する。すると、バネ本体がその弾力により非貫通孔の内壁面に向かって外径を拡大し、これにより非貫通孔の内壁面と円周方向で接触して、スナップリングは係止される。図７は、非貫通孔に係止された状態のスナップリングの断面図である。図において、無機質板１に設けられた非貫通孔２に、図３に示される態様のスナップリング２が挿入され、スナップリング２のバネ本体３１の側面３３が、非貫通孔２の内壁面２２に円周方向で接触している。
【００２５】
（ｄ）スナップリングの躯体への固定、および（ｅ）無機質板の躯体への固定
図３および４に示される態様において、スナップリングの躯体への固定は、接続部に接続材を接続し、この接続材の接続部に接続されている端とは反対側の端を躯体に固定することにより行われる。スナップリングの接続部への接続材の接続は、スナップリングを非貫通孔に挿入する前に行われても、後に行われてもよい。つまり、予め接続材が接続されたスナップリングを用意し、これを非貫通孔に挿入しても、また非貫通孔に挿入されたスナップリングに、その後に接続材を接続してもよい。接続材は、結果として二重化された固定手段として、接着等の第一の固定手段が失われたときにも無機質板を係止することができる強度を有するものであればその形状は限定されないが、例えば、線材、テープ状鋼材などが好ましく挙げられる。
【００２６】
スナップリングの接続部への接続の手段も、必要な強度が確保されるのであれば限定されない。例えば、図８に示されるように、図３のスナップリングを非貫通孔に挿入した場合、接続部３２の穴３５に線材４１を通し、線材に、線材固定部材４２を固定し、この部材４２は接続部３２と、非貫通孔２の底面２２との隙間を通ることができず、これにより線材４１は接続部３２に接続される。
【００２７】
次に、上記のようにスナップリングの接続部に接続された接続材の、スナップリングと接続されている端とは反対側の端を躯体に固定する。図９は、図８に示される、線材４１が接続されたスナップリングが係止された無機質板１を、躯体５１に固定した状態の説明図である。図において、線材４１は、スナップリングに接続された端と反対側の端において、躯体５１に打ち込まれた固定具５によって、固定点６１に固定されている。続いて、無機質板１は、躯体５１の表面５２と接着剤により貼着される。以上により、無機質板１は、本発明による固定方法と、接着剤による張り付けとの二つの手段により固定される。無機質板１には、経時的な劣化などで接着剤などによる固定が十分でなくなった場合でも、もう一つの本発明によるスナップリングを用いた固定手段が存在するため、脱落や、脱落に伴う被害を防ぐことができる。
【００２８】
図５および６に示される態様のスナップリングにあっては、線材などの接続材を用いることなく、延伸部３７の端３９の固定穴３９を用いて無機質板を躯体に固定することができる。固定は例えば、ビス、タッピングビス、アンカーボルトなどによりこの接続部を直接躯体に固定することで行うことができる。
【００２９】
図１０は、躯体５１の表面５２に、複数の無機質板１を張り付けた状態の説明図である。図において、無機質板１は、非貫通孔２に挿入されたスナップリングに接続された線材４１を固定点６１に固定することにより固定される。非貫通孔２は、一つの無機質板１に複数設けられて固定されることが好ましく、図１０にあっては、無機質板１枚あたり、三つの非貫通孔を設けて固定されている。さらに、線材と、固定点の関係は、単に固定点から線材を吊下げるのみならず、例えば、図１０にあるように、固定点６２を非貫通孔２の上で横に設け、線材４３を図の矢印の方向に引いて、無機質板１を持ち上げ、固定する態様であってもよい。また、図１０にあって、無機質板１は２段に固定されており、下の段の無機質板についての固定点６１は上の段の無機質板に隠れるよう構成されている。図１０にあっては、固定点６１、それにより固定される無機質板の上端よりも上に設けられているが、上端よりも下、すなわち、それにより固定される無機質板に隠れる位置に設けられてもよい。
【００３０】
躯体５１に設けられる固定点６１は、結果として二重化された固定手段として、接着等の第一の固定手段が失われたときにも無機質板を係止することができる強度を有するものであれば特に限定されないが、例えば、ビス、タッピングビス、アンカーボルトなどの固定具５を用いることが好ましい。
【００３１】
接着剤としては、無機質板を躯体に接着可能なものであれば限定されないが、合成高分子系の接着剤が好ましい。合成高分子系の接着剤としては、エポキシ系、シリコン系、ウレタン系、アクリル系などが好適に用いられる。これらの接着剤は、常温で液状（ペースト状は液状に包含される）の接着剤、ホットメルト接着剤、テープ状に成形されたもの、のいずれも好適に使用可能である。
【００３２】
なお、本発明において、無機質板１の非貫通孔を有する面と躯体５１との接着剤による貼着は、無機質板１と躯体表面５２との間に下地材が介在する態様も含まれるものとする。この場合、例えば、躯体が鉄骨等の柱である場合には、板状の下地材が躯体に公知の方法で固定されており、この下地材の表面に無機質板を接着剤で張り付ける。また例えば、既設の壁をリフォームする際に本発明の方法を適用する場合、既設の壁面を下地材として、その上に接着剤を用いて無機質板を張り付けても良い。いずれの場合も、固定に用いられるビスやアンカーボルトは躯体に固定されていることが好ましい。
【００３３】
本発明によるスナップリング、および躯体に固定された無機質板
以上の説明から明らかなように、本発明の別の態様によれば、上記した本発明による無機質板の固定方法に用いられるスナップリングが提供される。このスナップリングは、バネ本体と、躯体に接続する接続部とを備え、非貫通孔よりもやや大きな外径を有し、非貫通孔に挿入されたとき、バネ本体がその弾力により非貫通孔の内壁面に向かって外径を拡大し、もって非貫通孔の内壁面に接触して係止することを特徴とする穴用スナップリングである。
【００３４】
また、本発明によれば、上記した本発明による無機質板の固定方法により固定された無機質板構造物が提供され、この構造物は、一方の面に非貫通孔を有し、この非貫通孔には、穴用スナップリングが挿入されてなり、ここでこの穴用スナップリングは、バネ本体と、躯体に接続する接続部とを備え、非貫通孔内において、バネ本体がその弾力により孔の内壁面に向かって外径を拡大し、もって孔の内壁面と円周方向で接触して係止されてなり、接続部により躯体に固定され、かつ非貫通孔を有する面と躯体とが接着剤で固定されてなることを特徴とする。
【符号の説明】
【００３５】
１・・無機質板、２・・非貫通孔、３・・スナップリング、４・・線材、５・・固定具、２１・・内壁面、２２・・底面、３１・・バネ本体、３２・・接続部、３３・・側面、３４・・穴（ラグ）、３５・・接続材を接続するための穴、３６・・立ち上がり部、３７・・延伸部、３８・・端部、３９・・固定穴、４１、４３・・線材、４２・・線材固定部材、５１・・躯体、５２・・躯体表面、６１・・固定点
【図１】
2017082578.tif 000003
【図２】
2017082578.tif 000004
【図３】
2017082578.tif 000005
【図４】
2017082578.tif 000006
【図５】
2017082578.tif 000007
【図６】
2017082578.tif 000008
【図７】
2017082578.tif 000009
【図８】
2017082578.tif 000010
【図９】
2017082578.tif 000011
【図１０】
2017082578.tif 000012